(57)【要約】【課題】液晶パネルの大きさと関係なしに安定的に製作することができる液晶表示装置のケースを提供する。【解決手段】板状に形成される複数のケーシングと；前記ケーシングのうちいずれか一方のケーシングに設けられる第１結合部と；前記ケーシングのうち他方のケーシングに前記第１結合部と噛み合うように設けられる第２結合部と；を含んで液晶表示装置のケースを構成する。【選択図】図３
2010008939.tif 000002
【特許請求の範囲】
【請求項１】
板状に形成される複数のケーシングと；
前記ケーシングのうちいずれか一方のケーシングに設けられる第１結合部と；
前記ケーシングのうち他方のケーシングに前記第１結合部と噛み合うように設けられる第２結合部と；を含む液晶表示装置のケース。
【請求項２】
前記第１結合部は、突出された挿入ブレードで構成され、前記第２結合部は、前記挿入ブレードが挿入されて固定されるスリットで構成されることを特徴とする請求項１に記載の液晶表示装置のケース。
【請求項３】
前記スリットは、前記ケーシングの一方の面の部分に、段差を有する凹所部を形成することで形成されるを特徴とする請求項２に記載の液晶表示装置のケース。
【請求項４】
前記凹所部の深さは、前記スリットが形成されるケーシングの厚さと前記挿入ブレードの厚さとの合計と同一に形成されることを特徴とする請求項３に記載の液晶表示装置のケース。
【請求項５】
前記凹所部及び前記挿入ブレードのうちいずれか一方に突起が設けられ、他方に溝が設けられ、それらの突起と溝とが互いに結合されることを特徴とする請求項１ないし４のいずれか１項に記載の液晶表示装置のケース。
【請求項６】
前記各ケーシングが互いに突き合わされる側面のどちらか一方に位置突起が形成され、他方の面の前記位置突起に対応する位置に位置溝が形成されて、前記位置突起と位置溝とが互いに噛み合うことを特徴とする請求項１ないし４のいずれか１項に記載の液晶表示装置のケース。
【請求項７】
前記凹所部の広さは、前記挿入ブレードの幅より大きく形成されることを特徴とする請求項３に記載の液晶表示装置のケース。
【発明の詳細な説明】
【技術分野】
【０００１】
本発明は、液晶表示装置のケースに関するもので、より詳細には、大型の液晶パネルを使用する液晶表示装置で効率的に製作し組み立てることができるケースに関する。
【背景技術】
【０００２】
一般的に、液晶表示装置は、液晶の特定の分子配列に電圧を印加することで分子配列を変換し、このような分子配列によって発光する液晶セルの複屈折性、旋光性、２色性、光散乱特性などの光学的性質の変化を視覚変化に変換するもので、液晶セルによる光の変調を用いたディスプレイ装置をいう。
【０００３】
また、前記液晶表示装置は、ＣＲＴと異なり、自ら光を発する表示装置ではないので、液晶パネルの背面には、画像を視覚的に表現するために別途の光源を備えている。前記液晶表示装置の光源として、一般的にバックライトユニットが使用される。
【０００４】
図１に示すように、液晶表示装置は、映像をディスプレイする液晶パネル２と、液晶パネル２の前面縁部を保護するケース４と、液晶パネル２の下側の設けられ光を提供するバックライトユニット６と、バックライトユニット６を収納するケース８とを含んでいる。
【０００５】
近年、液晶表示装置の液晶パネル２が１００インチ以上に大きくなっており、これと同時に、液晶パネル２を支持可能なケース４，８も大きくならざるをえない。
【０００６】
しかしながら、上記の従来技術には、次のような問題点がある。
【０００７】
ケースは、通常、その材質が金属であり、プレス加工などで生産されるが、液晶パネルが１００インチ以上になると、ケースのねじりや曲がりが生じ、移送が難しくなり、プレス機器の大型化が必要であるなどの問題のために、ケースの製作が難しくなるという問題点がある。
【発明の開示】
【発明が解決しようとする課題】
【０００８】
本発明は、上記のような従来技術の問題点を解決するためのもので、その目的は、液晶パネルの大きさと関係なしに安定的に製作することができる液晶表示装置のケースを提供することにある。
【課題を解決するための手段】
【０００９】
上記のような目的を達成するための本発明の特徴によると、本発明に係る液晶表示装置のケースは、板状に形成される複数のケーシングと；前記ケーシングのうちいずれか一方のケーシングに設けられる第１結合部と；前記ケーシングのうち他方のケーシングに前記第１結合部と噛み合うように設けられる第２結合部と；を含むことを特徴とする。
【００１０】
前記第１結合部は、突出された挿入ブレードで構成され、前記第２結合部は、前記挿入ブレードが挿入されて固定されるスリットで構成されることを特徴とする。
【００１１】
前記スリットは、前記ケーシングの一方の面の部分に、段差を有する凹所部を形成することを特徴とする。
【００１２】
前記凹所部の深さは、前記スリットが形成されるケーシングの厚さと前記挿入ブレードの厚さとの合計と同一に形成されることを特徴とする。
【００１３】
前記凹所部と前記挿入ブレードのうちいずれか一方に突起が設けられ、他方に溝が設けられ、それらの突起と溝が互いに結合されることを特徴とする。
【００１４】
前記各ケーシングが互いに突き合わされる側面のどちらか一方に位置突起が形成され、他方の面の前記位置突起に対応する位置に位置溝が形成されて、前記位置突起と位置溝が互いに噛み合うことを特徴とする。
【００１５】
前記凹所部の広さは、前記挿入ブレードの幅より大きく形成されることを特徴とする。
【発明の効果】
【００１６】
本発明による液晶表示装置のケースには、次のような効果がある。
【００１７】
液晶表示装置のケースを分離結合可能な複数のケーシングで形成させてあるので、液晶パネルの大きさと関係なしにケースを安定的に製造することができる。
【００１８】
すなわち、ケースが大型であっても、ケースのねじりや反りが生じたり、移送が難しくなったり、プレス機器の大型化が必要とするなどという前述の問題点を解消することができ、液晶表示装置の不良率減少による収率向上及び原価節減の効果がある。
【発明を実施するための最良の形態】
【００１９】
以下、本発明に係る液晶表示装置のケースの好適な実施形態を、添付された図面を参考にして詳細に説明する。
【００２０】
まず、液晶表示装置に使用されるケース１０が用意される。ケース１０は、図１に示すように、液晶表示装置の前面に設けられる液晶パネルを作動させるバックライトユニットなどの各種の電装装置を背面で保護する役割をする。特に、ケース１０は、その前面に液晶パネルが露出されるので、液晶表示装置の背面を保護する役割をする。
【００２１】
ケース１０は、複数のケーシング２０，３０の結合によって構成される。例えば、図３に示すように、ケース１０は、二つのケーシング２０，３０で構成される。
【００２２】
ケーシング２０，３０は、液晶表示装置の背面となる板状の平面部２０ａ，３０ａと、平面部２０ａ，３０ａの縁部から所定の高さだけ立ち上がるように折り曲げられて側面を形成し、液晶表示装置の前面パネルに結合される折曲部２０ｂ，３０ｂとを含む。ケーシング２０，３０は、堅固な材質、例えば、金属材質で形成される。
【００２３】
ケーシング２０，３０には、各ケーシング２０，３０を互いに結合するための結合部２２，３２が設けられる。すなわち、結合部２２，３２は、一方のケーシング２０，３０と他方のケーシング２０，３０とを結合するように、互いに対応する形状に形成される。
【００２４】
ここで、説明の便宜上、いずれか一方のケーシングを第１ケーシング２０といい、この第１ケーシング２０に設けられる結合部を第１結合部２２という。また、第１ケーシング２０に結合される他方のケーシングを第２ケーシング３０といい、この第２ケーシング３０に設けられる結合部を第２結合部３２という。ケーシングは２つに限定されるわけではない。
【００２５】
第１結合部２２と第２結合部３２は、互いに対応した形状で噛み合い、各ケーシング２０，３０を堅固に結合して固定する手段であれば、どのような構成も採用可能である。例えば、第１ケーシング２０と第２ケーシング３０の一部を重ねた後、リベット、ボルト、接着剤、溶接などの別途の結合手段で固定することができる。
【００２６】
また、結合手段を利用せずに、各ケーシング２０，３０を結合するための方法として、各ケーシング２０，３０の形状を互いに対応して噛み合う構成に形成することもできる。この噛み合う構成は、多様な構造にすることができ、例えば、図３に示した構成も可能である。
【００２７】
第１結合部２２は、第１ケーシング２０の平面部２０ａから所定の長さだけ延長される挿入ブレード２４として構成することができる。挿入ブレード２４は、第２結合部３２、すなわち、後述する第２ケーシング３０のスリット３４に挿入され、第１ケーシング２０と第２ケーシング３０とを結合する役割をする。
【００２８】
挿入ブレード２４は、第１ケーシング２０の平面部２０ａから延長されたもので、その厚さは、第１ケーシング２０の厚さと同一に形成される。その理由は、挿入ブレード２４によって第１ケーシング２０が必要以上に厚くならない状態で所定の強度を持たせるためである。
【００２９】
また、挿入ブレード２４は、所定高さの段差を持たせて形成される。その理由は、挿入ブレード２４を、後述する第２ケーシング３０のスリット３４に挿入して結合させてケース１０を形成する場合、ケース１０の面での突出や凹所が最小となるようにするためである。
【００３０】
再び説明すると、図６Ａに示すように、挿入ブレード２４が、第２ケーシング３０の厚さだけ段差を持って形成され、第２ケーシング３０のスリット３４に挿入されたときに、図４に示すように、一側からケース１０を見たとき、凹凸が最小となるようにするためである。
【００３１】
第２ケーシング３０にはスリット３４が設けられる。スリット３４は、挿入ブレード２４が挿入される空間で、挿入ブレード２２がスリット３４に挿入されることで、第１ケーシング２０と第２ケーシング３０とが結合される。
【００３２】
スリット３４を説明すると、まず、図６Ａに示すように、第２ケーシング３０の平面部３０ａの一部が所定の深さだけへこまされることで、凹所部３６が設けられる。すなわち、凹所部３６は、第２ケーシング３０の第１ケーシング側の縁部から所定間隔離れた位置で一部を残して切られてへこまされて形成される。図の実施形態では長方形の両長辺の部分が切られて短編の部分を切らずに残すように切ってへこませる。板にプレスで直接押し込んで形成させてもよい。第２ケーシング３０を側面側から見たとき、第２ケーシング３０と凹所部３６によって所定の空間が設けられている。この空間がスリット形状に見えるので、これをスリット３４という。
【００３３】
凹所部３６は、第２ケーシング３０の厚さと第１ケーシング２０の厚さとの合計だけへこまされることが好ましい。凹所部３６によって形成されるスリット３４に、挿入ブレード２４が移動なしに安定的に固定されるようにするためである。
【００３４】
また、第２ケーシング３０の凹所部３６の第２ケーシング３０の縁部から離隔した距離は、第１ケーシング２０の挿入ブレード２４の長さより短くなるべきである。挿入ブレード２４が凹所部３６を超えて、凹所部３６によって形成されるスリット３４に安定的に支持されるようにするためである。
【００３５】
挿入ブレード２４の長さは、第２ケーシング３０の縁部から凹所部３６が設けられた部分までの距離より長くなるべきである。図６Ａに示すように、挿入ブレード２４がスリット３４に挿入されて支持されることで、第１ケーシング２０と第２ケーシング３０との結合がより一層堅固になるためである。
【００３６】
一方、第１結合部２２と第２結合部３２は、各ケーシング２０，３０に複数箇所設けられる。すなわち、挿入ブレード２４とスリット３４の対が多数設けられることで、第１ケーシング２０と第２ケーシング３０とを堅固に固定させることができる。
【００３７】
例えば、図３、図４に示すように、第１ケーシング２０に挿入ブレード２４とスリット２６が設けられ、第２結合部３０には、第１ケーシング２０に設けられた挿入ブレード２４とスリット２６に対応するスリット３４と挿入ブレード３８が交互に設けられて、第１ケーシング２０と第２ケーシング３０との結合をより一層堅固にすることができる。
【００３８】
第１ケーシング２０に多数設けられた挿入ブレード２４とスリット２６は、図３に示すように、ブレードが第１ケーシングと第２ケーシングとで交互に形成されるように、ジグザグ状に位置させることができる。その結果、第１ケーシング２０と第２ケーシング３０とがより一層堅固に結合される。
【００３９】
また、スリット２６は、図６Ｂに示すように、挿入ブレード２４に対して左右両側に所定の空間Ｗを有して形成される。スリット２６に挿入ブレード２４が挿入される過程で、スリット２６と挿入ブレードの大きさが同一であることから容易に挿入されないことを防止するためである。
【００４０】
また、図８に示すように、第１ケーシング２０と第２ケーシング３０には、さらに、位置突起３９と位置溝２９が双方のケーシングが組み立てたときに、突き合わされる側面の対応する位置となる箇所に設けられる。位置突起３９は、ケーシングに平面状に延長されて突出され、位置溝は、ケーシングに平面状に凹所とされて形成される。
【００４１】
位置突起３９と位置溝２９は、第１ケーシング２０と第２ケーシング３０との接触面で互いに噛み合うように形成される。位置突起３９と前置溝２９は、図８に示すように、噛み合って結合されて、第１ケーシング２０と第２ケーシングが互いに移動することを防止する役割をする。
【００４２】
すなわち、上述したように、スリット２６が挿入ブレード２４に対して所定の空間Ｗを有することで、第１ケーシング２０と第２ケーシング３０がその範囲で互いに移動可能であるが、位置突起３９と位置溝２９は、このような移動を防止する役割を果たす。
【００４３】
以下、上記のような構成を有する本発明による液晶表示装置のケースの作用を詳細に説明する。
【００４４】
加工が完了した各ケーシング２０，３０を結合して液晶表示装置のケースを製造する場合、まず、第１ケーシング２０と第２ケーシング３０の各結合部２２，３２を対向位置させる。
【００４５】
第１ケーシング２０と第２ケーシング３０の各結合部２２，３２を向き合わせて、第１ケーシング２０と第２ケーシング３０とを接近させることで、第１ケーシング２０の第１結合部２２と第２ケーシング３０の第２結合部３２とが互いに結合される。
【００４６】
以下、第１結合部２２と第２結合部３２の結合関係をより詳細に説明すると、図３と図４に示すように、第１結合部２２と第２結合部３２は、それぞれ複数の挿入ブレード２４，３８とスリット２６，３４が構成され、互いに対応する形状で形成されている。
【００４７】
複数の挿入ブレード２４，３８とスリット２６，３４の構成において、まず、一つの結合関係を説明すると、挿入ブレード２４は、凹所部３６が設けられた方向に進められる。その結果、挿入ブレード２４は、まず、第２ケーシング３０の縁部に接するが、このとき、挿入ブレード２４が第１ケーシング２０に対して段差を有するので、第２ケーシング３０にぶっつからずに互いに面接触しながら滑り込ませることができる。
【００４８】
第１ケーシング２０が第２ケーシング３０との結合方向に継続的に進むと、凹所部３６と第２ケーシング３０との間の空間、すなわち、スリット３４に第１ケーシング２０の挿入ブレード２４が挿入される。
【００４９】
スリット３４に挿入ブレード２４が挿入されると、挿入ブレード２４の両面のうち一方の面は凹所部３６の面と面接触し、挿入ブレード２４の他方の面は第２ケーシング３０の面と面接触するようになり、互いに移動しなくなる。
【００５０】
挿入ブレード２４，３８とスリット２６，３４は、各ケーシング２０，３０に互いに交互に複数設けられているので、結合関係がより一層堅固になる。
【００５１】
本発明の権利は、上述した実施形態に限定されるものでなく、特許請求の範囲に記載されたように定義されるもので、本発明の分野で通常の知識を有する者であれば、特許請求の範囲に記載された権利範囲内で多様な変形及び改作が可能である。
【００５２】
例えば、図７に示すように、挿入ブレード２４，３８や凹所部２８，３６が互いに対向する面において、いずれか一方に突起ａが設けられ、他方に溝ｂが設けられて、結合をより一層堅固にすることもできる。
【００５３】
また、上述した実施形態では、本発明の液晶表示装置の背面を保護するケース１０に対してのみ述べたが、本発明の結合構造は、液晶表示装置の前面を保護するケース４（図１を参照）にも当然に適用される。
【図面の簡単な説明】
【００５４】
【図１】一般的な液晶表示装置の構成を示した分解斜視図である。
【図２】図１の液晶表示装置に使用される従来技術によるケースの構成を示した平面図である。
【図３】図１の液晶表示装置に使用される本発明によるケースの構成を示した平面図である。
【図４】図３のＡ部を拡大して示した平面図である。
【図５】図４の背面図である。
【図６】図４に示したケースのＩ−Ｉ'線（Ａ）及びＡ−Ａ’線（Ｂ）に沿う側断面図である。
【図７】本発明によるケースの他の実施形態の構成を示した平面図である。
【図８】本発明によるケースの更に他の実施形態の構成を示した平面図である。
【符号の説明】
【００５５】
１０  ケース
２０  第１ケーシング
２２  第１結合部
２４  挿入ブレード
２６  スリット
２８  凹所部
３０  第２ケーシング
３２  第２結合部
３４  スリット
３６  凹所部
３８  挿入ブレード
【図１】
2010008939.tif 000003
【図２】
2010008939.tif 000004
【図３】
2010008939.tif 000005
【図４】
2010008939.tif 000006
【図５】
2010008939.tif 000007
【図６】
2010008939.tif 000008
【図７】
2010008939.tif 000009
【図８】
2010008939.tif 000010